【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】  映像信号と当該映像信号のジャンル情報とを入力する入力手段と、
前記入力手段によって入力された映像信号を記憶媒体に記録する記録手段と、
映像信号の一部を抽出するための、複数の抽出タイミングと当該複数の抽出タイミングの各々に関連づけられた抽出期間とを含む複数の手順情報を、夫々異なるジャンル情報と関連づけて格納した格納手段と、
前記入力手段で入力された映像信号のダイジェスト映像を生成する場合、前記映像信号のジャンル情報に基づいて、前記複数の手順情報から１つの手順情報を選択する選択手段と、
前記選択手段で選択された手順情報に従って、前記記憶媒体に記録された前記映像信号から映像信号の一部を抽出する抽出手段とを備えることを特徴とする記録装置。
【請求項２】  前記複数の手順情報の各々における前記複数の抽出タイミングの各々は、前記映像信号の取り込みを開始するタイミングを当該映像信号の全時間の中でのパーセンテージで定義していることを特徴とする請求項１に記載の記録装置。
【請求項３】  前記抽出手段は、前記選択された手順情報に指定されている前記複数の抽出タイミングと前記映像信号の前記記録手段による記録の開始時刻及び終了時刻とに基づいて、前記複数の抽出タイミングの各々を示す実時刻を算出することを特徴とする請求項２に記載の記録装置。
【請求項４】  ダイジェスト映像を生成するための操作入力を受け付ける操作手段を更に備え、
前記操作手段は前記格納手段に格納された前記複数の手順情報の各々について、抽出タイミング及び抽出期間の少なくともいずれかを編集することが可能であることを特徴とする請求項１に記載の記録装置。
【請求項５】  前記操作手段は新たな手順情報を作成するための作成画面を有し、当該作成画面を介して作成した手順情報にユーザにより指定されたジャンル情報を関連づけて前記格納手段に格納することを特徴とする請求項４に記載の記録装置。
【請求項６】  前記複数の手順情報の各々には予め複数のキーワード情報が設定されており、前記選択手段は前記映像信号のジャンル情報と前記キーワード情報との比較を行い、当該比較の結果、ジャンル情報と合致するキーワード情報が設定されている手順情報を選択することを特徴とする請求項１に記載の記録装置。
【請求項７】  前記映像信号に付随する音声信号を解析し、音声の区切りを示す音声情報を生成する音声解析手段を更に備え、
前記抽出手段は前記選択された手順情報が示す抽出タイミング以降の音声の区切りから前記抽出タイミングに対応する抽出期間の経過後の音声の区切りまでの期間の映像信号を抽出することにより、前記記憶媒体に記録された前記映像信号から映像信号の一部を抽出することを特徴とする請求項１に記載の記録装置。
【請求項８】  前記記憶媒体はクラスタを単位としたランダムアクセスが可能であり、
前記抽出手段は前記記憶媒体に記録された前記映像信号に対応する抽出タイミングに基づいて、当該映像信号のダイジェスト映像となる映像部分が記録されているクラスタ位置を示す抽出位置情報を生成することを特徴とする請求項１に記載の記録装置。
【請求項９】  映像信号を記録媒体に記録する記録装置における記録制御方法であって、
入力手段が、映像信号と当該映像信号のジャンル情報とを入力する入力工程と、
記録手段が、前記入力工程によって入力された映像信号を記憶媒体に記録する記録工程と、
選択手段が、前記入力工程で入力された映像信号のダイジェスト映像を生成する場合において、映像信号の一部を抽出するための、複数の抽出タイミングと当該複数の抽出タイミングの各々に関連づけられた抽出期間とを含む複数の手順情報を、夫々異なるジャンル情報と関連づけて格納した格納手段をアクセスして、前記映像信号のジャンル情報に基づいて前記複数の手順情報のうちの１つの手順情報を選択する選択工程と、
抽出手段が、前記選択工程で選択された手順情報に従って、前記記憶媒体に記録された前記映像信号から映像信号の一部を抽出する抽出工程とを備えることを特徴とする記録制御方法。
【請求項１０】  前記複数の手順情報の各々における前記複数の抽出タイミングの各々は、前記映像信号の取り込みを開始するタイミングを当該映像信号の全時間の中でのパーセンテージで定義していることを特徴とする請求項９に記載の記録制御方法。
【請求項１１】  前記抽出工程では、前記選択された手順情報に指定されている前記複数の抽出タイミングと前記映像信号の前記記録工程による記録の開始時刻及び終了時刻とに基づいて、前記複数の抽出タイミングの各々を示す実時刻を算出することを特徴とする請求項１０に記載の記録制御方法。
【請求項１２】  操作手段が、ダイジェスト映像を生成するための操作入力を受け付ける操作工程を更に備え、
前記操作工程では、前記格納手段に格納された前記複数の手順情報の各々について、抽出タイミング及び抽出期間の少なくともいずれかを編集することが可能であることを特徴とする請求項９に記載の記録制御方法。
【請求項１３】  前記操作工程では、新たな手順情報を作成するための作成画面を表示させ、当該作成画面を介して作成した手順情報にユーザにより指定されたジャンル情報を関連づけて前記格納手段に格納することを特徴とする請求項１２に記載の記録制御方法。
【請求項１４】  前記複数の手順情報の各々には予め複数のキーワード情報が設定されており、前記選択工程では、前記映像信号のジャンル情報と前記キーワード情報との比較を行い、当該比較の結果、ジャンル情報と合致するキーワード情報が設定されている手順情報を選択することを特徴とする請求項９に記載の記録制御方法。
【請求項１５】  音声解析手段が、前記映像信号に付随する音声信号を解析し、音声の区切りを示す音声情報を生成する音声解析工程を更に備え、
前記抽出工程では、前記選択された手順情報が示す抽出タイミング以降の音声の区切りから前記抽出タイミングに対応する抽出期間の経過後の音声の区切りまでの期間の映像信号を抽出することにより、前記記憶媒体に記録された前記映像信号から映像信号の一部を抽出することを特徴とする請求項９に記載の記録制御方法。
【請求項１６】  前記記憶媒体はクラスタを単位としたランダムアクセスが可能であり、
前記抽出工程では、前記記憶媒体に記録された前記映像信号に対応する抽出タイミングに基づいて、当該映像信号のダイジェスト映像となる映像部分が記録されているクラスタ位置を示す抽出位置情報を生成することを特徴とする請求項９に記載の記録制御方法。
【請求項１７】  請求項９乃至１６の何れか１項に記載の記録制御方法をコンピュータに実行させるためのコンピュータプログラム。
【手続補正２】
【補正対象書類名】明細書
【補正対象項目名】００１０
【補正方法】変更
【補正の内容】
【００１０】
【課題を解決するための手段】
上記の目的を達成するための本発明の一態様による記録装置は、
映像信号と当該映像信号のジャンル情報とを入力する入力手段と、
前記入力手段によって入力された映像信号を記憶媒体に記録する記録手段と、
映像信号の一部を抽出するための、複数の抽出タイミングと当該複数の抽出タイミングの各々に関連づけられた抽出期間とを含む複数の手順情報を、夫々異なるジャンル情報と関連づけて格納した格納手段と、
前記入力手段で入力された映像信号のダイジェスト映像を生成する場合、前記映像信号のジャンル情報に基づいて、前記複数の手順情報から１つの手順情報を選択する選択手段と、
前記選択手段で選択された手順情報に従って、前記記憶媒体に記録された前記映像信号から映像信号の一部を抽出する抽出手段とを備える。
【手続補正３】
【補正対象書類名】明細書
【補正対象項目名】００１１
【補正方法】変更
【補正の内容】
【００１１】
また、上記の目的を達成するための本発明の他の態様による記録制御方法は、
映像信号を記録媒体に記録する記録装置における記録制御方法であって、
入力手段が、映像信号と当該映像信号のジャンル情報とを入力する入力工程と、
記録手段が、前記入力工程によって入力された映像信号を記憶媒体に記録する記録工程と、
選択手段が、前記入力工程で入力された映像信号のダイジェスト映像を生成する場合において、映像信号の一部を抽出するための、複数の抽出タイミングと当該複数の抽出タイミングの各々に関連づけられた抽出期間とを含む複数の手順情報を、夫々異なるジャンル情報と関連づけて格納した格納手段をアクセスして、前記映像信号のジャンル情報に基づいて前記複数の手順情報のうちの１つの手順情報を選択する選択工程と、
抽出手段が、前記選択工程で選択された手順情報に従って、前記記憶媒体に記録された前記映像信号から映像信号の一部を抽出する抽出工程とを備える。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】発明の名称
【補正方法】変更
【補正の内容】
【発明の名称】記録装置及び記録制御方法